(57)【特許請求の範囲】
【請求項１】
機台の左側前端に備えられた刃物台に支持されて垂直に回転する丸刃の表面と、刃物台の左側壁とで形成された隅角部の空間に設けられ、丸刃の表面の刃先近辺に接して、丸刃の表面に付着した脂肪などの付着物を除去するスクレーパーであって、該スクレーパーは、先端が尖った弾性板で形成されて、支持板に着脱可能に取着され、該支持板は、刃物台の左側壁に固定板を介して取付けられた支持軸によって回動可能に支持されたボスから延設された取付板に、取付位置が調節可能に取付けられ、さらに前記ボスには、ハンドルが突設されていて、該ハンドルは、スクレーパーと共に支持軸を中心として揺動可能であり、かつ、スクレーパーは、前記固定板とハンドルの基部付近との間に張設されたスプリングの張力によって、スクレーパーの先端部が、丸刃から離れた位置に保持されているが、前記ハンドルをスプリングの張力に抗して丸刃側に揺動させると、スクレーパーの先端部が、丸刃の表面の刃先近辺に接するように構成されたことを特徴とする食肉スライサーにおける丸刃のスクレーパー。
【発明の詳細な説明】
【技術分野】
【０００１】  本発明は、食肉スライサーにおける丸刃のスクレーパーに関する。より詳しくは、機台の左側前端に備えられた刃物台に支持されて垂直に回転する丸刃によって切り出されるスライス肉片が接する側である丸刃の表面の刃先近辺に接して、丸刃の表面に付着した脂肪などの付着物を除去するスクレーパーの改良に関する。
【背景技術】
【０００２】  従来のこの種スクレーパーには、例えば、特許文献１の実開昭５１−３８０８７号公報や特許文献２の実開昭６１−１５１８９０号公報に開示されたものがある。【０００３】
【特許文献１】実開昭５１−３８０８７号公報
【特許文献２】実開昭６１−１５１８９０号公報
【発明の開示】
【発明が解決しようとする課題】
【０００４】  従来の食肉スライサーにおける丸刃のスクレーパーは、特許文献１および２のいずれにおいても、丸刃の表裏両面に接する一対のスクレーパーで構成され、かつ、一対のスクレーパーは、常に丸刃面内に位置していて、丸刃外方位置の機体の一部に備えられたスクレーパーの丸刃面への接離手段でもって、丸刃から離れた状態と丸刃に接した状態とに切り替え可能とされている。【０００５】  上述の構成においては、次のような問題があった。即ち、前記一対のスクレーパーの内、丸刃裏面（肉箱側）に対応するスクレーパーが、常に丸刃面内に位置していているので、肉箱の移動の障害となりスライス作業が制限を受ける。【０００６】  また、一対のスクレーパーが対向した構成では、それぞれのスクレーパーを丸刃に対しての接離手段は複雑となり、その切り替え操作も煩雑である。【０００７】  さらにスクレーパーで掻き取られた脂肪など付着物が、スクレーパーや接離手段に堆積した際に、清掃が困難である。【０００８】  加えて、スクレーパーの接離手段は、丸刃外方位置の機体から延設された取付けアームや丸刃カバーの上部に備えられるが、いずれも操作ハンドルなどが突出した状態となるので作業する上での支障となるばかりでなく、誤って接蝕するおそれもある。【０００９】  上述した従来技術に付随する問題に鑑み、本発明の目的は、スライス作業が制限されること無く、スライス作業中においても、簡単な操作で、切り出されるスライス肉片が接する側である丸刃の表面の刃先近辺に接して、丸刃の表面に付着した脂肪などの付着物を除去するこができる食肉スライサーにおける丸刃のスクレーパーを提供することにある。
【課題を解決するための手段】
【００１０】  前記目的を達成するため、本発明は、機台の左側前端に備えられた刃物台に支持されて垂直に回転する丸刃の表面と、刃物台の左側壁とで形成された隅角部の空間に設けられ、丸刃の表面の刃先近辺に接して、丸刃の表面に付着した脂肪などの付着物を除去するスクレーパーであって、該スクレーパーは、先端が尖った弾性板で形成されて、支持板に着脱可能に取着され、該支持板は、刃物台の左側壁に固定板を介して取付けられた支持軸によって回動可能に支持されたボスから延設された取付板に、取付位置が調節可能に取付けられ、さらに前記ボスには、ハンドルが突設されていて、該ハンドルは、スクレーパーと共に支持軸を中心として揺動可能であり、かつ、スクレーパーは、前記固定板とハンドルの基部付近との間に張設されたスプリングの張力によって、スクレーパーの先端部が、丸刃から離れた位置に保持されているが、前記ハンドルをスプリングの張力に抗して丸刃側に揺動させると、スクレーパーの先端部が、丸刃の表面の刃先近辺に接するように構成されたことを特徴とする食肉スライサーにおける丸刃のスクレーパーとした。
【発明の効果】
【００１１】  本発明によれば、スライス作業がスクレーパーによって制限されること無く、スライス作業中においても、簡単な操作で、切り出されるスライス肉片が接する側である丸刃の表面の刃先近辺に接して、丸刃の表面に付着した脂肪などの付着物を除去するこができる。【００１２】  また、スクレーパーを丸刃の表面と、刃物台の左側壁とで形成される隅角部の空間に設けたので、機体のまとまりがよく、作業の支障にもならない。
【発明を実施するための最良の形態】
【００１３】  以下、本発明の実施例を図示した添付図面を参照しながら本発明を詳細に説明する。図１が本発明に係る丸刃のスクレーパーが組み込まれている食肉スライサーの正面図で要部のみが示されている。【００１４】  前記食肉スライサーにおいては、機台１の左側前端に備えられた刃物台２に支持されて垂直に回転する丸刃３に対して公知の機構（図示しない）により丸刃３の刃面に平行に往復移動する肉箱（図示しない）を備えている。【００１５】  前記刃物台２は、公知技術で知られている通り、外端に丸刃３が固着された刃物軸４が上部に軸受けされていて、下部に取付けられている刃物駆動用のモーター（図示しない）から動力を伝達する無端帯伝導装置５が内蔵された断面形状が矩形の箱状に形成されている。【００１６】  本発明に係る丸刃３のスクレーパー６は、丸刃３によって切り出されるスライス肉片が接する側である丸刃３の表面と、刃物台２の左側壁２ａとで形成される隅角部の空間に設けられる。【００１７】  図２は、図１に示すＡ矢視の拡大図で、丸刃３を参考的に表示している。図３は、図２に示すＢ矢視図で要部が断面表示されている。【００１８】  スクレーパー６は、図３に示すように先端部が尖った形状で、丸刃３の回転方向に対して適宜な掬い角が与えられ、断面形状がくの字状をした所定の幅寸法を有するポリウレタン樹脂などの弾性体で板状に成型されている。スクレーパー６は、平面視（図１に示す状態）においては、丸刃３の表面に接する先端部が、丸刃３の回転方向に対し、刃先側が前進した傾斜状に配置される。【００１９】  スクレーパー６は、簡単に脱着できるように支持板７に小ねじ８で複数箇所を締結されて支持される。支持板７は取付板９に数個のボルト１０によって締結される。支持板７のボルト１０の挿入穴１１は長穴状に形成され、スクレーパー６の先端部と丸刃３の表面との接触加減が調整可能に構成されている。【００２０】  取付板９は、適宜長さ寸法を有する管状のボス１２に、端部が固着された状態て延設されている。ボス１２は、支持軸１３に回動可能な状態で嵌通され、支持軸１３は、基板１４にて支持される。基板１４には、刃物台２の左側壁２ａにボルト１５にて取付けられた固定板１６に取付位置が調節可能に締め付けられる。【００２１】  ボス１２からは、バー状のハンドル１８が突設されていて、ハンドル１８は、スクレーパー６と共に支持軸１３を中心として揺動可能であり、かつ、スクレーパー６は、固定板１６とハンドル１８の基部付近との間に張設されたスプリング１９の張力によって、スクレーパー６の先端部が、丸刃３から離れた位置に保持されている。【００２２】  即ち、スクレーパー６を支持板７及び取付板９を介して支持するボス１２と一体構成とされたハンドル１８の基部に設けられた突起１８ａと、刃物台２の左側壁２ａに締付けられた固定板１６に設けられた突起１６ａとの間に所定の張力を有してスプリング１９が引掛られた構成である。【００２３】  尚、スプリング１９の一端は、ハンドル１８の基部に限らずボス１２と共に揺動する部分であればいずれの場所に止着してもよい。また、スプリング１９の他端を止着する突起１６ａは固定板１６以外の左側壁２ａに設けてもよい。【０��２４】  上述のように構成されたスクレーパー６は、通常は、図２に実線で示す非作用位置に保持されている。即ち、スクレーパー６は、その先端部が丸刃３から離れた位置を保持するようスプリング１９の張力によって、反丸刃３側に向けて引きつけられている状態である。【００２５】  上述のようなスクレーパー６を装備した食肉スライサーにおいて、スライス作業中に、丸刃３の表面の刃先近辺に、切り出されるスライス肉片が接することで脂肪などの付着が認められた場合には、図２に示す仮想線の状態のように、ハンドル１８をスプリング１９の張力に抗して、適当量だけ丸刃３側に揺動させて、スクレーパー６の先端部を、丸刃３の表面の刃先近辺に当接させて脂肪などの付着物を掻き取る。【００２６】  ハンドル１８から手を離せばスプリング１９の張力によって元のスクレーパー６の先端部が丸刃３の表面から離れた状態（図２に示す実線の状態）に復帰する。
【産業上の利用可能性】
【００２７】  前述のように本発明に係る技術は、既に広く知られている丸刃を使用した食肉スライサーに容易に実施可能である。
【図面の簡単な説明】
【００２８】
【図１】本発明に係る丸刃のスクレーパーが組み込まれている食肉スライサーの正面図で要部のみが示されている。
【図２】図１に示すＡ矢視の拡大図。
【図３】図２に示すＢ矢視図。
【符号の説明】
【００２９】  １    機台
２    刃物台
３    丸刃
６    スクレーパー
７    支持板
９    取付板
１２  ボス
１３  支持軸
１８  ハンドル
１９  スプリング
【図１】
0004843814.tif 000002
【図２】
0004843814.tif 000003
【図３】
0004843814.tif 000004